(57)【要約】【課題】ファスナーの潤滑を図るスムーサーの提供【解決手段】蝋に天然あるいは合成オイルを混合し、場合によっては香料を含有して冷却し、携帯型容器に充填する。あるいは、さらに、緑茶エキスを添加する。この場合蝋と混合物の割合は７対３から９対１が好ましい。携帯容器は口紅型、ペン型、蓋付き容器等限定されない。ここで天然オイルにはホホバ油のような酸化安定性に優れたものが好ましく、香料には精油（純正エッセンシャルオイル）などが好ましい。【選択図】  図１
2004329512.tif 000002
【特許請求の範囲】
【請求項１】
蝋に天然あるいは合成オイルを混合し、携帯型容器に充填してなるファスナースムーサー
【請求項２】
香料あるいは香水を含有してなる請求項１記載のファスナースムーサー
【請求項３】
緑茶エキスを含有してなる請求項１記載のファスナースムーサー
【請求項４】
蝋とホホバ油を７対３から９対１の割合で混合させ、冷却することにより製造するファスナースムーサーの製造方法。
【発明の詳細な説明】
【０００１】
【発明の属する技術分野】
本発明は、衣服、寝具、鞄、家具その他あらゆるところに使用されているファスナーの動きを潤滑にするスムーサーに関する。
【０００２】
【従来の技術】
従来、蝋は家具、特に建具等の動きをスムーズにするために、便宜的に用いられてきた。しかしながら、蝋燭そのものは、このような建具の動きをスムースにするために製造されているものではない。そのため、使用中にこすりつける力が強すぎて蝋燭が折れてしまったり、残留物質の付着や汚れが気になるという状況であった。
そして、ファスナーは、生活における多くの物品に使用されているが、直ぐにひっかかったり、また長期間に開閉のファスナーは湿気等で滑りが悪くなるため、ファスナーの開閉をスムースにするものが要望されていたが、まったく商品が開発されていないのが現状であった。一応分野は異なるが、木蝋と植物性油を用いた木質床材表面処理剤が１件特許出願されている。（特許文献１）。
【０００３】
【特許文献１】
特開２００２−１９４２９９号公報
【発明が解決しようとする課題】
しかし、この特許は処理後の床が滑り難いようにするものであり、本願が目的とする、衣類をはじめとするファスナーのスムーサーではなく、また、携帯型でもない。
本来ファスナーは、衣類や、寝具など、人間の皮膚に接することが多く、さらには、鞄や書類ファイル、靴など、日常生活において手で触れるあらゆるところに及んでいる。従って、それらの動きがスムーズでない場合でも、皮膚に接触する部品であるため、従来はファスナーをスムーズにするための薬品等は使用されていないのが現状であり、そもそもファスナーそのものにスムーズにする薬剤を塗るという発想そのものが起きずに、該当商品がないのが現状である。
【０００４】
しかしファスナーが壊れてしまったりして、服の開口部が閉まらずに困ったり、高級な服や家具がファズナーの損傷のみで着られなくなったり、使用できなくなったりする場合が多く、良い方法が模索されていた。
特にファスナーは、素材そのものが樹脂、アルミ、金属等幅広く、さらに基布部分も、布、ビニール等の樹脂、革、合成皮革など幅広い。それらに問題なく使用可能である素材を選択する必要がある。
【０００５】
本発明は、上記問題点を解決するために、改良を重ねながら発明されたもので、多数の実験を重ねた結果、良好な結果を得られたため、特許出願に及んだ次第である。
【０００６】
【課題を解決するための手段】
本発明のファスナースムーサーは、蝋に天然あるいは合成オイルを混合し、携帯型容器に充填してなることを要旨とする
【０００７】
本発明のファスナースムーサーは、香料あるいは香水を含有してなることを要旨とする
【０００８】
本発明のファスナースムーサーは、緑茶エキスを含有してなることを要旨とする。
【０００９】
本発明のファスナースムーサーの製造方法は、蝋とホホバ油を７対３から９対１の割合で混合させ、冷却することにより製造することを要旨とする。
【００１０】
【発明の実施の形態】
本発明において、蝋とはすべての蝋を意味し、液体蝋、固体蝋、植物蝋、動物蝋のすべてを含む。また、天然オイルとは、植物油、動物油のすべてを含み、合成オイルとはいわゆる加工油脂を指す。
ホホバ油は、米国南部、メキシコ北部の乾燥地帯に自生しているカン木の種子から得られる液体ワックスを指す。
本発明において携帯型とは、常温で変化せず、持ち運びに便利でなおかつ塗布がスムーズにでき、塗布後の状態が好ましいことを意味する。
なおペンタイプにすることも可能で、その場合は堅さを増加させるために、例えば、カルナウバワックスを加えると良い。さらに、スムーサーにつやを出すために、例えば、ライスワックス等を添加しても良い。
【００１１】
本発明におけるファスナーは、チャックあるいはジッパーとも呼ばれ、テープに金属（むし）を植え付け、このむしが結合されて緊縮する仕組みのものをいう。従来ファスナーは金属製だけであったが、ポリエチレン樹脂を使ったテトロンファスナー、さらに金属にまさるとも劣らない硬質アセタール樹脂のデルリンファスナーなど種々のプラスチックファスナーが開発されている。金属ファスナーの用途は、スリップなどの特殊の薄地下着類、札入れ、小物袋物、一般衣類、オーバーシューズ、かさ入れ、寝具類、ズボン、コート、ジャンバー、小型・大型鞄類、航空特殊服、天幕、自動車ほろ、列車連結、麻袋、スリーピングバッグ、テントなどに用いられる。
【００１２】
テトロン、ナイロンファスナーは、特に女性用ドレス、子供服、下着、ポケット用、小型鞄類、ペンシルケース、クッション、ベビー用衣類などに用いられ、テルリンファスナーは、スポーツウェア、ベビーシューズ、オーバーシューズ、袋物、鞄類、水着、スノーウェア、ゴルフバッグなどに、また、アルミ合金あるいはナイロンからなるコンシールファスナーは、婦人子供服、スラックス、ワンピース、スーツなどに用いられている。
【００１３】
また、本発明において、香料とは、例えば、精油（純正エッセンシャルオイル）など布に対して変質をもたらさないもので、かすかに気分を和らげるような香料が好ましいと思われる。
【００１４】
【実施例１】
本発明の第１の実施例を図１から図３を参照しながら説明する。
まず、蝋を湯煎で溶かし、温度を保ったまま、無臭、無着色のホホバ油を蝋に対して８対２の割合で加える。
それを図１（ａ）（ｂ）に示す携帯用容器（３）（４）に流し込み、０度から２０度で３０分〜４０分置き、完全に凝固したことを確認する。
【００１５】
このようなファスナースムーサー（１）を使用する場合は、図２に示すように、ファスナーを開いた状態でファスナーのむし（７）に直接塗りつける場合と、図３に示すようにファスナーを閉めた状態でファスナーのむし全体に塗りつける方法がある。
どちらの方法でも、効果に違いは見られないが、ファスナーを開いて塗った方が、よりきめ細かくファスナーのむしの間にスムーサーが入り込むことが可能で好ましい。但し、この場合は、両側のむしに塗布する方が効果が大きいが、急ぐ場合は、片側のみの塗布でもかまわない。
【００１６】
また、本実施例におけるホホバ油は、酸化安定性にすぐれ、乾燥した皮膚を柔らげ、油分を補う一方、刺激性がなく、余分な汚れを除いて、にきび、切り傷を治すために用いられているものであるため、皮膚に対する刺激がなく、肌へのなじみが良く、衣服等のファスナー、特に下着など皮膚に直接接するところに使用されているファスナーには最適である。
【００１７】
このようなファスナースムーサーを、長年使用せず、ファスナーが開けにくかったジーンズのファスナーに塗布した後５分ほど置き、ファスナーを開けてみたところ、塗布前には引っかかって僅か５ミリ程度しか下方向に降りなかったファスナーを１度で開けることができた。
また、図示していないがペンタイプのスムーサーも含め、携帯型の容器であれば、手を汚すことなく、ファスナーにスムーサーを塗布することができるので好ましい。
【００１８】
なお、実施例における蝋とホホバ油の割合を７対３あるいは９対１という風に若干配合割合を変化させてみたが、出来上がりのスムーサーは実施例１と同様の効果を確認できた。
【００１９】
「比較例１」
実施例１において、蝋とホホバ油の割合を６対４にする以外は、実施例１と同様にしてファスナースムーサーを製造したところ、べたついて固化しにくい上、高温でやわらかくなるため、携帯に不向きとなった。
【００２０】
「比較例２」
実施例１において、蝋とホホバ油の割合を９．５対０．５にする以外は、実施例１と同様にしてファスナースムーサーを製造したところ、滑りが悪く、ファスナーのむし内に詰まってしまい、使用に耐えなかった。
以上から、蝋と天然あるいは合成オイルの混合割合は、７対３から９対１が最適な混合割合ということができる。
【００２１】
【実施例２】
本発明の第２の実施例を説明する。
実施例１は、既に使用されている「ファスナー」に塗布するスムーサーの基本的な実施例を説明したが、本実施例においては、さらに添加物として、緑茶エキスを僅かに加え、殺菌消臭効果を製品に付加している。
このようなファスナースムーサーであれば、お弁当入れのような食品関係が入る袋や、毎日何度も手にする文房具類、サニタリー関係、化粧品関係などの袋物のファスナーに使用することで、内容物あるいはこれに接触する手や皮膚に対し殺菌消臭効果が生じ、好ましい。
【００２２】
緑茶エキスの含有量は特に限定はなく、ファスナースムーサーの硬度を変えない程度添加するのが良い。さらに、実施例１と同様、気分を優雅にし、気持ちを和らげる香りを添加するために、グレープフルーツの香りやローズウッドの香りを添加しても良いことはもちろんである。
また、このファスナースムーサーを鞄のファスナーに使用したところ、鞄のファスナー部分にカビが生えることもなく、また、鞄を使用して、ファスナーを開くたびに、ほのかに香る香料が心地よく、気持ちをやわらげてくれるせいか、いらいらせず、ファスナーを開閉する動作もスムーズに行うことが可能となった。
【発明の効果】
以上説明したように、本発明によれば、多くの生活物資に採用されているファスナーの動きを簡単な塗布動作により潤滑にすることができ、非常に便利である。また、携帯用のスムーサーであれば、いつでもどこでも簡単にファスナーの開閉を潤滑にすることができ、生活のあらゆる場で使用可能となる。さらに、本発明は酸化しにくく、皮膚に対して良い効果のある植物油を使用しているため、皮膚に接する場所のファスナーにも応用可能であり、塗布後の変化も問題ない。また、添加するものを殺菌消臭効果のあるものにすることで、従来のファスナーに比べファスナー部分の維持管理も良くなり、ファスナーを用いた商品全体の寿命も長くすることが可能となった。
【図面の簡単な説明】
【図１】本発明の携帯用ファスナースムーサーの説明斜視図である。
【図２】本発明のファスナースムーサーをファスナーを開いた状態で塗布している使用状態説明図である。
【図３】本発明のファスナースムーサーをファスナーを閉じた状態で塗布している使用状態説明図である。
【符号の説明】
１  ……携帯型ファスナースムーサー
２  ……ファスナースムーサー
３  ……容器
４  ……容器
５  ……ファスナー
６  ……ファスナーテープ
７  ……ファスナーむし
８  ……鞄
【図１】
2004329512.tif 000003
【図２】
2004329512.tif 000004
【図３】
2004329512.tif 000005